(57)【特許請求の範囲】
【請求項１】
太陽電池パネルから引き出された出力リードを通す出力リード引込口が底面に設けられた端子ボックス本体と、前記出力リード引込口の上方に配置された複数の端子板とを有し、前記出力リード引込口を通して前記端子ボックス本体に引き込まれた前記出力リードが、前記端子板に設けられた出力リード挿通孔に上方から挿入されている端子ボックスが前記太陽電池パネルに取り付けられた太陽電池モジュールであって、
前記端子板は、前記端子板の延在方向と前記太陽電池パネルの厚さ方向とを含む断面において前記端子ボックスの底面側に凸となる部分を、少なくとも一箇所有する形状であり、はんだ付けによって前記出力リードと電気的に接続される出力リード接続部を備えることを特徴とする太陽電池モジュール。
【請求項２】
前記出力リードは、前記出力リード接続部と接続される部分に、糸はんだを挿通可能なはんだ挿通穴が形成されていることを特徴とする請求項１に記載の太陽電池モジュール。
【請求項３】
前記出力リードは、前記出力リード接続部と接続される部分に、空気抜き穴が形成されていることを特徴とする請求項２に記載の太陽電池モジュール。
【請求項４】
太陽電池パネルから引き出された出力リードの挿通を許容する出力リード引込口が底面に設けられた端子ボックス本体と、前記出力リードと電気的に接続される出力リード接続部を備え、前記出力リード引込口の上方に配置された複数の端子板とを有する端子ボックスが前記太陽電池パネルに取り付けられた太陽電池モジュールの製造方法であって、
前記出力リード接続部は、前記端子板の延在方向と前記太陽電池パネルの厚さ方向とを含む断面において前記端子ボックスの底面側に凸となる部分を、少なくとも一箇所有する形状であり、
前記出力リードを、前記出力リード引込口を通して前記端子ボックス本体に引き込んだ後に、前記端子板に設けられた出力リード挿通孔に上方から挿入する工程と、
前記出力リードと前記出力リード接続部との間に、前記出力リード接続部上で前記出力リードの両側に溶融はんだが広がるまではんだを供給し、前記出力リードと前記出力リード接続部とをはんだ付けする工程とを有することを特徴とする太陽電池モジュールの製造方法。
【請求項５】
前記出力リードは、前記出力リード接続部と接続される部分にはんだ挿通穴が形成されており、前記はんだ挿通穴を通じて前記出力リードと前記出力リード接続部との間にはんだを供給することを特徴とする請求項４に記載の太陽電池モジュールの製造方法。
【請求項６】
太陽電池パネルから引き出された出力リードの挿通を許容する出力リード引込口が底面に設けられた端子ボックス本体と、前記出力リードと電気的に接続される出力リード接続部を備え、前記出力リード引込口の上方に配置された複数の端子板とを有する端子ボックスが前記太陽電池パネルに取り付けられた太陽電池モジュールを製造する太陽電池モジュールの製造装置であって、
前記出力リード接続部は、前記端子板の延在方向と前記太陽電池パネルの厚さ方向とを含む断面において前記端子ボックスの底面側に凸となる部分を、少なくとも一箇所有する形状であり、
前記出力リード引込口を通して前記端子ボックス本体に引き込んだ後に前記端子板に設けられた出力リード挿通孔に上方から挿入した出力リードと、前記出力リード接続部との間に、前記出力リード接続部上で前記出力リードの両側に溶融はんだが広がるまではんだを供給するはんだ供給装置と、
前記出力リードと前記出力リード接続部とをはんだ付けするはんだ付け装置とを有することを特徴とする太陽電池モジュールの製造装置。
【請求項７】
前記はんだ供給装置は、
前記出力リードと前記出力リード接続部との接続部分を撮影する撮影カメラ部と、
前記撮影カメラ部が撮影した画像に基づいて、前記出力リードと前記出力リード接続部との間に、設定量のはんだが供給されたか否かを判定する判定部とを有するはんだ供給判別検査装置を備えることを特徴とする請求項６に記載の太陽電池モジュールの製造装置。
【請求項８】
前記はんだ供給判別検査装置は、前記撮影カメラ部が撮影した画像に基づいて、前記はんだを供給する位置を決定することを特徴とする請求項７に記載の太陽電池モジュールの製造装置。
【発明の詳細な説明】
【技術分野】
【０００１】
本発明は、端子ボックスを備える太陽電池モジュール、太陽電池モジュールの製造方法及び太陽電池モジュールの製造装置に関する。
【背景技術】
【０００２】
太陽光発電システムは、家屋の屋根上に敷設した太陽電池モジュールからの直流電力をインバータ経由で電気製品に供給する。太陽光発電システムは、複数の太陽電池モジュールからなり、各太陽電池モジュールの裏側に配置された太陽電池モジュール用端子ボックスを介して直列又は並列に接続される。以下、太陽電池モジュール用端子ボックスを単に端子ボックスという。
【０００３】
端子ボックスは、筐体の内部基板に並設されて一端が太陽電池モジュールの裏面側から引き出されたプラス電極及びマイナス電極の出力リードに接続されるとともに、他端がモジュール連結ケーブルに接続される複数枚の端子板と、各端子板間に架け渡される逆負荷時バイパス用のバイパスダイオードとを備えたものが知られている。
【０００４】
出力リードと端子板との接続部分は、太陽電池モジュールにより発電された全電流が流れる箇所であり、出力リードと端子板とが正しく接触しておらず、剥離が発生した場合、出力リードと端子板との接続部分が抵抗になって発熱し、端子ボックスを損傷する可能性がある。
【０００５】
特許文献１には、出力リードと接続される端子板と、端子板が収納される端子ボックス筐体とを備える端子ボックスが開示されている。
【０００６】
端子ボックス筐体裏面には、プラス電極及びマイナス電極の両電極の出力リードを引き込むための開口が形成されており、開口を通じて出力リードが端子ボックス筐体内部に引き込まれる。端子ボックス筐体内部に引き込まれた出力リードは、端子ボックス筐体内部に収納されている端子板とはんだ付けで接続される。
【０００７】
また、端子板の先端部には、リード仮保持用の仮保持孔が長孔状に形成されている。引き込まれた出力リードは、端子板の上方から仮保持孔に挿入され、出力リードの先端部が端子板の下方に回り込むことで、出力リードが端子板に対して遊動することが規制される。出力リードは、端子板に対する遊動が規制された状態で端子板にはんだ付けされる。
【先行技術文献】
【特許文献】
【０００８】
【特許文献１】特開２００５−３５３７３４号公報
【発明の概要】
【発明が解決しようとする課題】
【０００９】
特許文献１に開示された端子ボックスでは、出力リードと端子板との間に供給するはんだの量を設定量に保つことが難しい。このため、出力リードと端子板との間に供給するはんだが不足し、設計通りの接続強度が得られない場合があった。
【００１０】
本発明は、上記に鑑みてなされたものであって、出力リードと端子板との間に供給するはんだが不足することによる出力リードと端子板との接続強度の低下を防止した太陽電池モジュールを得ることを目的とする。
【課題を解決するための手段】
【００１１】
上述した課題を解決し、目的を達成するために、本発明は、太陽電池パネルから引き出された出力リードを通す出力リード引込口が底面に設けられた端子ボックス本体と、出力リード引込口の上方に配置された複数の端子板とを有し、出力リード引込口を通して端子ボックス本体に引き込まれた出力リードが、端子板に設けられた出力リード挿通孔に上方から挿入されている端子ボックスが太陽電池パネルに取り付けられた太陽電池モジュールであって、端子板は、端子ボックスの底面側に凸となる部分を少なくとも一箇所有する形状であり、はんだ付けによって出力リードと電気的に接続される出力リード接続部を備えることを特徴とする。
【発明の効果】
【００１２】
本発明によれば、出力リードと端子板との間に供給するはんだが不足することによる出力リードと端子板との接続強度の低下を防止できるという効果を奏する。
【図面の簡単な説明】
【００１３】
【図１】本発明の実施の形態１に係る太陽電池モジュールに用いられる太陽電池ストリングの表面側から見た斜視図
【図２】実施の形態１に係る太陽電池モジュールの表面側から見た斜視図
【図３】実施の形態１に係る太陽電池モジュールの裏面側から見た斜視図
【図４】実施の形態１に係る太陽電池モジュールの端子ボックスの端子ボックス蓋を取り外した状態での概略平面図
【図５】実施の形態１に係る太陽電池モジュールの端子ボックスまわりの接続状態を示す模式的な回路図
【図６】実施の形態１に係る太陽電池モジュールの端子ボックスの端子ボックス蓋を取り外した状態での概略断面図
【図７】実施の形態１に係る太陽電池モジュールの出力リードを端子ボックス本体に収納された端子板に接続する製造工程を示す概略断面図
【図８】実施の形態１に係る太陽電池モジュールの出力リードを端子ボックス本体に収納された端子板に接続する製造工程を示す概略断面図
【図９】実施の形態１に係る太陽電池モジュールの出力リードを端子ボックス本体に収納された端子板に接続する製造工程を示す概略断面図
【図１０】実施の形態１に係る太陽電池モジュールの端子ボックスの端子板の出力リード挿通孔に出力リードを挿入している状態の拡大概略断面図
【図１１】実施の形態１に係る太陽電池モジュールの端子ボックスの端子板の出力リード挿通孔に出力リードを挿入している状態の拡大概略平面図
【図１２】実施の形態１に係る太陽電池モジュールの端子ボックスの端子板の出力リード挿通孔に出力リードを挿入している状態の拡大概略平面図
【図１３】実施の形態１に係る太陽電池モジュールの端子ボックスの端子板の出力リード挿通孔に出力リードを挿入している状態の拡大概略平面図
【図１４】実施の形態１の糸はんだ供給装置及びはんだ付け装置の概略断面を示す図
【図１５】実施の形態１の糸はんだ供給装置及びはんだ付け装置の概略断面を示す図
【図１６】実施の形態１に係る太陽電池モジュールの製造に用いるはんだ供給判別検査装置の制御構成を概略的に示すブロック図
【図１７】本発明の実施の形態２に係る太陽電池モジュールの端子ボックスに適用される端子板の断面概略図
【図１８】本発明の実施の形態３に係る太陽電池モジュールの端子ボックスの端子板の出力リード挿通孔に出力リードを挿入している状態の拡大概略断面図
【図１９】実施の形態３に係る太陽電池モジュールの端子ボックスに適用される端子板及び接続リードの上面図
【図２０】実施の形態３に係る太陽電池モジュールの端子ボックスに適用される端子板及び接続リードの上面図
【図２１】実施の形態３に係る太陽電池モジュールの端子ボックスに適用される端子板及び接続リードの上面図
【発明を実施するための形態】
【００１４】
以下に、本発明の実施の形態に係る太陽電池モジュール、太陽電池モジュールの製造方法及び太陽電池モジュールの製造装置を図面に基づいて詳細に説明する。なお、この実施の形態によりこの発明が限定されるものではない。
【００１５】
実施の形態１．
図１は、本発明の実施の形態１に係る太陽電池モジュールに用いられる太陽電池ストリングの表面側から見た斜視図である。図２は、実施の形態１に係る太陽電池モジュールの表面側から見た斜視図である。図３は、実施の形態１に係る太陽電池モジュールの裏面側から見た斜視図である。図１に示すように、太陽電池ストリング９は、複数枚の太陽電池セル１１をセル間接続体１２で直列に接続して構成される。
【００１６】
図２及び図３に示すように、透明なガラス基板からなる表面保護部材１０の下に、太陽電池ストリング９を不図示の封止材で挟み込み、太陽電池セル１１の裏面側は裏面保護部材１４で覆って保護することで、太陽電池アレイが形成される。太陽電池アレイの裏面保護部材１４上に端子ボックス２０を取り付け出力リードで太陽電池アレイと電気的に接続することにより太陽電池パネル１５が構成される。すなわち、出力リードは、太陽電池パネル１５から引き出されており、端子ボックス２０は太陽電池パネル１５に取り付けられている。太陽電池パネル１５の端面の周囲に支持フレーム１３が取り付けられることにより、太陽電池モジュール１００が構成される。
【００１７】
端子ボックス２０は、外殻を構成する箱状の筐体を有し、端子ボックス本体２０Ａと端子ボックス蓋２０Ｂとから構成されている。端子ボックス本体２０Ａは、直方体箱状を成し、底面と底面の四方を囲む側面とを有し、１面を開放する箱状である。端子ボックス蓋２０Ｂは、板状であり、端子ボックス本体２０Ａの開放面を塞いでいる。端子ボックス本体２０Ａ及び端子ボックス蓋２０Ｂは、難燃性及び耐候性を有する樹脂で作製されている。端子ボックス２０には他の太陽電池モジュール１００と接続する目的で、外部に延びるモジュール連結ケーブル１６ａ，１６ｂが接続されている。
【００１８】
図４は、実施の形態１に係る太陽電池モジュールの端子ボックスの端子ボックス蓋を取り外した状態での概略平面図である。以下の説明では、図４に示す＋Ｘ方向を前、−Ｘ方向を後、＋Ｙ方向を右、−Ｙ方向を左、＋Ｚ方向を上、−Ｚ方向を下とする。ただし、これらの方向は、太陽電池モジュール１００の設置方向を限定するものではない。すなわち、太陽電池モジュール１００は、−Ｚ方向が鉛直下方となるように設置する必要はない。図５は、実施の形態１に係る太陽電池モジュールの端子ボックスまわりの接続状態を示す模式的な回路図である。図６は、実施の形態１に係る太陽電池モジュールの端子ボックスの端子ボックス蓋を取り外した状態での概略断面図である。なお、図６は、端子板１Ａの部分を通る断面を示しており、出力リード２の図示は省略している。端子ボックス本体２０Ａの底面の前方寄りの部分には、出力リード引込口２０ａが開口している。太陽電池パネル１５の出力を取り出す目的の出力リード２は、出力リード引込口２０ａを介して端子ボックス２０内に挿入される。端子ボックス本体２０Ａの底面には、端子板１Ａ，１Ｂ，１Ｃの固定用に端子板固定部２０ｃが直方体形状に形成されている。端子板１Ａの後方寄りの部分には、他の太陽電池モジュールと接続する目的で、外部に延びるモジュール連結ケーブル１６ａが接続されている。端子板１Ｃの図４の後方寄りの部分には、他の太陽電池モジュールと接続する目的で、外部に延びるモジュール連結ケーブル１６ｂが接続されている。モジュール連結ケーブル１６ａは太陽電池モジュール１００のプラス電極側で、モジュール連結ケーブル１６ｂは太陽電池モジュール１００のマイナス電極側になっている。
【００１９】
端子ボックス本体２０Ａの内部には、３枚の端子板１Ａ，１Ｂ，１Ｃと逆負荷時バイパス用の２個のバイパスダイオード８Ａ，８Ｂとが配置されている。端子板１Ａ，１Ｂ，１Ｃは、出力リード引込口２０ａの上方に配置されている。バイパスダイオード８Ａ，８Ｂは、並列に接続された太陽電池ストリング９のいずれかが発電しない状態になった場合に、非発電状態の太陽電池ストリング９で電力を消費しないように、電流を迂回させるために設けられている。端子ボックス本体２０Ａの内側には、配線接続完了後、図示しない防水用の充填材が充填される。端子板１Ａ，１Ｂ，１Ｃの前方寄りの部分には、出力リード引込口２０ａを通して端子ボックス本体２０Ａ内に引き込まれた出力リード２が接続される出力リード接続部１ａが設けられている。出力リード接続部１ａには、複数の太陽電池セル１１がセル間接続体１２で直列に接続された太陽電池ストリング９の一端から延びる出力リード２が各々接続される。一方、３枚の端子板１Ａ，１Ｂ，１Ｃのうち、左側の端子板１Ａ及び右側の端子板１Ｃの後端には、ケーブル接続部１ｂが設けられ、モジュール連結ケーブル１６ａ，１６ｂが圧着接合されている。端子ボックス本体２０Ａの後方寄りの部分には、モジュール連結ケーブル１６ａ，１６ｂを引き出すためのケーブル引出孔２０ｂが形成されている。
【００２０】
図７、図８及び図９は、実施の形態１に係る太陽電池モジュールの出力リードを端子ボックス本体に収納された端子板に接続する製造工程を示す概略断面図である。図７は、端子板１Ａの出力リード挿通孔１ｃに出力リード２を挿入する前の状態を示す図であり、図８は、端子板１Ａの出力リード挿通孔１ｃに出力リード２を挿入した状態を示す図であり、図９は、端子板１Ａの出力リード接続部１ａに出力リード２をはんだ付けした後の状態を示す図である。なお、図７、図８及び図９は、端子板１Ａの部分を通る断面を示している。図１０は、実施の形態１に係る太陽電池モジュールの端子ボックスの端子板の出力リード挿通孔に出力リードを挿入している状態の拡大概略断面図である。図１０は、図を見易くするため、端子板１Ａ及び出力リード２のみ図示している。なお、ここでは端子板１Ａと出力リード２との接合について説明するが、端子板１Ｂ又は端子板１Ｃと出力リード２との接合についても同様である。図１０に示すように、出力リード接続部１ａは、下方向に凸である逆アーチ状の断面形状、換言すると、端子ボックス２０の底面側に凸となる部分を一箇所有する形状をしている。
【００２１】
図７に示すように端子ボックス本体２０Ａの端子板１Ａに、太陽電池ストリング９から引き出した出力リード２は、裏面保護部材１４に形成された出力リード引出孔１４ａを挿通して引き出されている。太陽電池モジュール１００本体の裏面に端子ボックス本体２０Ａを取付ける際、出力リード引込口２０ａを挿通して端子ボックス本体２０Ａ内に出力リード２を引き込み、端子板１Ａの出力リード接続部１ａへ導く。図８に示すように端子ボックス本体２０Ａ内に引き込まれた出力リード２は、端子板１Ａの出力リード挿通孔１ｃに人手作業の場合ペンチのような工具を用いて挿通される。以上のようにして、出力リード２は、出力リード引込口２０ａを通して端子ボックス２０に引き込まれ、端子板１Ａに設けられた出力リード挿通孔１ｃに上方から挿入されている。出力リード２と出力リード接続部１ａとの間に、出力リードはんだ挿通孔２ａを通じて糸はんだ３を供給したのちに、図１０に示すように、はんだ付けこて先４０１で出力リード２を出力リード接続部１ａの内部に向けて折り返すことにより、図９に示すように、出力リード２と端子板１Ａとははんだ付けによって電気的に接合される。なお、出力リード２と出力リード接続部１ａとの間には、出力リード接続部１ａ上で出力リード２の左右方向の両側に溶融はんだ３ａが広がるまで糸はんだ３を供給する。
【００２２】
実施の形態１では、出力リード２の出力リード接続部１ａとの接続位置には、出力リードはんだ挿通孔２ａが設けられ、出力リードはんだ挿通孔２ａを通して糸はんだ３が、出力リード２と出力リード接続部１ａとの間に供給される。図１１、図１２及び図１３は、実施の形態１に係る太陽電池モジュールの端子ボックスの端子板の出力リード挿通孔に出力リードを挿入している状態の拡大概略平面図である。図１１は、端子板１の出力リード接続部１ａ上の出力リード接合端２ｂ，２ｃの両側に溶融はんだ３ａが広がっていない状態を示す図であり、図１２は、出力リード接合端２ｂ，２ｃの両側に溶融はんだ３ａが広がった状態を示す図であり、図１３は、出力リード接合端２ｂの側のみに溶融はんだ３ａが広がった状態を示す図である。図１１、図１２及び図１３は、図を見易くするため、端子板１Ａ及び出力リード２のみ図示している。なお、出力リード接合端２ｂは、出力リード２の左側の端であり、出力リード接合端２ｃは、出力リード２の右側の端である。
【００２３】
糸はんだ３は、出力リードはんだ挿通孔２ａを通じて、出力リード２と出力リード接続部１ａとの間に供給され、はんだ付けこて先４０１からの伝熱で高温になった端子板１Ａの出力リード接続部１ａ及び出力リード２からの伝熱により溶融して出力リード２と出力リード接続部１ａとの間に溶融はんだ３ａとなって広がる。出力リード接続部１ａは、逆アーチ状の断面形状をしているため、出力リード２と出力リード接続部１ａとの間に溶融はんだ３ａが広がりやすい。図１１、図１２及び図１３に示したように、端子板１Ａの出力リード接続部１ａ上の出力リード２の出力リード接合端２ｂ，２ｃの両側に溶融はんだ３ａが溶け広がっていない場合と溶融はんだ３ａが溶け広がっている場合とでは、出力リード２の出力リード接合端２ｂ，２ｃからの溶融はんだ３ａの広がり状態が異なる。出力リード接続部１ａ上の出力リード２の出力リード接合端２ｂ，２ｃの両側の溶融はんだ３ａの広がり状態を確認することにより、出力リード２と出力リード接続部１ａとの間に設定量のはんだが供給されたか否かを判別検査可能である。
【００２４】
設定量のはんだが供給されたか否かの判別検査は、目視検査で行ってもよいが、後述するはんだ供給判別検査装置２００を使用して行ってもよい。出力リード接続部１ａ上の出力リード２の出力リード接合端２ｂ，２ｃの両側にはんだが正常に広がっていることを確認後、出力リード接続部１ａ上の出力リード２にはんだ付けこて先４０１を上から押し付け、出力リード接続部１ａ上の出力リード２を出力リード接続部１ａに沿うように変形させることにより、はんだ付け接合強度をより高めることができる。
【００２５】
図１４及び図１５は、実施の形態１の糸はんだ供給装置及びはんだ付け装置の概略断面を示す図である。図１４は、糸はんだ供給装置３００から糸はんだ３を供給する前の状態を示している。まず、はんだ供給装置である糸はんだ供給装置３００が備えるはんだ供給判別検査装置２００を利用して、端子板１の出力リード接続部１ａ上の出力リードはんだ挿通孔２ａの位置を撮影カメラ部２０２により撮影し、出力リードはんだ挿通孔２ａの位置認識後、糸はんだ供給位置の補正値を算出する。算出された補正位置に基づき糸はんだ供給装置３００から糸はんだ３が出力リード接続部１ａ上の出力リードはんだ挿通孔２ａを通じて出力リード２と出力リード接続部１ａとの間に供給される。すなわち、はんだ供給判別検査装置２００は、撮影カメラ部２０２が撮影した画像に基づいて、糸はんだ３を供給する位置を決定する。供給した糸はんだ３は、はんだ付け装置４００のはんだ付けこて先４０１からの伝熱により溶融させる。糸はんだ供給装置３００は、出力リード２と出力リード接続部１ａとの間に、出力リード接続部１ａ上で出力リード２の左右方向の両側に溶融はんだ３ａが広がるまで糸はんだ３を供給する。糸はんだ供給装置３００は、従来公知のはんだ供給装置を使用することができるため、詳細説明は省略する。
【００２６】
図１５は、はんだ付け装置４００により、端子板１の出力リード接続部１ａと出力リード２のはんだ付け後の状態を示している。端子板１の出力リード接続部１ａ上の出力リード２の出力リード接合端２ｂ，２ｃの両側はんだ広がり状態をはんだ供給判別検査装置２００により正常状態が判定された後、はんだ付け装置４００のはんだ付けこて先４０１を用いて、出力リード接続部１ａ上の出力リード２の中央部を上から押付け、出力リード接続部１ａ上の出力リード２を密着させることにより、はんだ付け接合強度をより高くする。また、出力リード接続部１ａ上の出力リード２間に滞留している空気は、はんだ付けこて先４０１の上からの押付けにより、出力リードはんだ挿通孔２ａより排出され、出力リード接続部１ａと出力リード２との間は空気溜りがなくなり接合強度が高まる。なお、空気抜き穴を出力リードはんだ挿通孔２ａとは別に設けても良い。はんだ付け装置４００は、従来公知のはんだ付け装置を使用することができるため、詳細説明は省略する。
【００２７】
図１６は、実施の形態１に係る太陽電池モジュールの製造に用いるはんだ供給判別検査装置の制御構成を概略的に示すブロック図である。はんだ供給判別検査装置２００は、処理プログラムを追加することにより、糸はんだ供給位置補正装置の機能を持たせることも可能である。制御部２０１は、処理部２０１ａと記憶部２０１ｂとを備えており、記憶部２０１ｂに格納されたマスター撮影データに基づいて処理プログラムを実行することにより、処理部２０１ａで各要素を制御する。処理部２０１ａは、撮影カメラ部２０２にて撮影された画像データを受ける認識部２０１ｃと、撮影カメラ部２０２が撮影した画像に基づいて、出力リード２と出力リード接続部１ａとの間に、設定量のはんだが供給されたか否かを判定する判定部２０１ｄとを有している。認識部２０１ｃは、端子板１の出力リード接続部１ａ上の出力リード２の出力リード接合端２ｂ，２ｃの両側において、糸はんだ３を供給する前後の状態を認識するようになっている。判定部２０１ｄは、糸はんだ３の供給後、出力リード２の出力リード接合端２ｂ，２ｃの両側に溶融はんだ３ａが溶け広がっている場合は、はんだの広がりが正常と判定し、出力リード接合端２ｂ，２ｃのどちらかもしくは両方ともに溶融はんだ３ａが溶け広がっていない場合は、はんだの広がりが正常ではないと判定する。上記のはんだ供給判別検査装置２００の画像処理は、従来公知の画像処理システムを使用することができるため、詳細説明は省略する。
【００２８】
はんだ供給判別検査装置２００では、図１１に示すように溶融はんだ３ａが出力リード２の出力リード接合端２ｂ，２ｃのどちら側にも広がっていない状態と、図１３に示すように溶融はんだ３ａが出力リード２の出力リード接合端２ｂ，２ｃのどちらか片側にしか広がっていない状態は、はんだの広がりが正常ではないと判定する。図１２に示すように、溶融はんだ３ａが出力リード２の出力リード接合端２ｂ，２ｃの両側に広がった状態のみ、はんだの広がりが正常と判定する。
【００２９】
はんだ供給判別検査装置２００がはんだ広がりが正常ではないと判定した場合には、そのままはんだ付けを行っても出力リード２と出力リード接続部１ａとのはんだ付け接合不良となる可能性が高いため、検品対象扱いにして手作業ではんだを追加することで、太陽電池モジュールの歩留まりを向上させることができる。
【００３０】
出力リード２と出力リード接続部１ａとのはんだ付け接合不良は、接続部での電気抵抗が増加したり発熱が発生したりする原因となる。また、はんだ付け接合強度が低いと温度変化の大きい環境下において使用した場合、出力リード２に掛かる引っ張り応力により、出力リード２と端子板１Ａ，１Ｂ，１Ｃとの間の接続が剥離する可能性が高くなり、電気的な信頼性が低下するといった問題が発生する。実施の形態１に係る太陽電池モジュール１００の端子ボックス２０は、端子板１Ａ，１Ｂ，１Ｃの出力リード接続部１ａを下に凸の逆アーチ形状にしているため、溶融はんだ３ａが出力リード接続部１ａと出力リード２との間に溶け広がりやすい。したがって、出力リード２と出力リード接続部１ａとの間に供給するはんだの量が不足することを防止でき、出力リード２と端子板１Ａ，１Ｂ，１Ｃとのはんだ付け接合不良の発生を抑えることができる。
【００３１】
実施の形態２．
図１７は、本発明の実施の形態２に係る太陽電池モジュールの端子ボックスに適用される端子板の断面概略図である。出力リード接続部１ａの断面が波形である点で実施の形態１と相違している。すなわち、実施の形態１では、出力リード接続部１ａは、端子ボックス２０の底面側に凸となる部分が一箇所であったのに対し、実施の形態２では、端子ボックス２０の底面側に凸となる部分を複数箇所有する形状である。換言すると、出力リード接続部１ａは、下方向に凸となる部分を複数箇所有する形状である。
【００３２】
実施の形態２に係る端子ボックスの端子板は、出力リード２を出力リード挿通孔１ｃに挿入した際に、出力リード２と出力リード接続部１ａとが複数箇所で接触する。したがって、はんだ付けこて先４０１からの熱が出力リード接続部１ａに伝熱しやすくなり、出力リード接続部１ａ上に溶融はんだ３ａが広がりやすい。したがって、出力リード２と出力リード接続部１ａとのはんだ付け接合不良の発生を抑えることができる。
【００３３】
このほかについては実施の形態１と同様であるため、重複する説明は省略する。
【００３４】
実施の形態３．
本発明の実施の形態３に係る太陽電池モジュールの端子ボックスは、出力リード２を除いて実施の形態１と同様である。図１８は、本発明の実施の形態３に係る太陽電池モジュールの端子ボックスの端子板の出力リード挿通孔に出力リードを挿入している状態の拡大概略断面図である。図１８は、図を見易くするため、端子板１Ａ及び出力リード２のみ図示している。なお、ここでは端子板１Ａと出力リード２との接合について説明するが、端子板１Ｂ又は端子板１Ｃと出力リード２との接合についても同様である。図１９、図２０及び図２１は、実施の形態３に係る太陽電池モジュールの端子ボックスに適用される端子板及び接続リードの上面図である。実施の形態３に係る出力リード２は、出力リードはんだ挿通孔２ａが形成されていない点で実施の形態１と相違している。端子板１Ａは、実施の形態１と同様に、断面形状が下方向に凸である逆アーチ形状の出力リード接続部１ａを備えている。すなわち、端子板１Ａは、端子ボックス２０の底面側に凸となる部分を一箇所有する形状の出力リード接続部１ａを備えている。
【００３５】
実施の形態３においては、出力リード接合端２ｂ側から、出力リード２と出力リード接続部１ａとの間に糸はんだ３を供給する。糸はんだ３を供給していない方の出力リード接合端２ｃ側まで溶融はんだ３ａが溶け広がることによって、出力リード２と出力リード接続部１ａとの間に設定量のはんだが供給されたことを確認できる。したがって、出力リード２と出力リード接続部１ａとのはんだ付け接合不良の発生を抑えることができる。なお、上記の説明では、出力リード２の右側から糸はんだ３を供給しているが、出力リード２の右側から糸はんだ３を供給する場合は、出力リード２の左側まで溶融はんだ３ａが溶け広がっていれば、出力リード２と出力リード接続部１ａとの間に設定量のはんだが供給されたことを確認できる。
【００３６】
このほかについては実施の形態１と同様であるため、重複する説明は省略する。
【００３７】
上記の説明においては、出力リード２と出力リード接続部１ａとの間に糸はんだ３を供給したが、出力リード２と出力リード接続部１ａとの間に供給するはんだは糸状に限定されることはない。
【００３８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３９】
１ａ  出力リード接続部、１ｂ  ケーブル接続部、１ｃ  出力リード挿通孔、１Ａ，１Ｂ，１Ｃ  端子板、２  出力リード、２ａ  出力リードはんだ挿通孔、２ｂ，２ｃ  出力リード接合端、３  糸はんだ、３ａ  溶融はんだ、８Ａ，８Ｂ  バイパスダイオード、９  太陽電池ストリング、１０  表面保護部材、１１  太陽電池セル、１２  セル間接続体、１３  支持フレーム、１４  裏面保護部材、１４ａ  出力リード引出孔、１５  太陽電池パネル、１６ａ，１６ｂ  モジュール連結ケーブル、２０  端子ボックス、２０ａ  出力リード引込口、２０ｂ  ケーブル引出孔、２０ｃ  端子板固定部、２０Ａ  端子ボックス本体、２０Ｂ  端子ボックス蓋、１００  太陽電池モジュール、２００  はんだ供給判別検査装置、２０１  制御部、２０１ａ  処理部、２０１ｂ  記憶部、２０１ｃ  認識部、２０１ｄ  判定部、２０２  撮影カメラ部、３００  糸はんだ供給装置、４００  はんだ付け装置、４０１  はんだ付けこて先。
【図１】
0006448485.tif 000002
【図２】
0006448485.tif 000003
【図３】
0006448485.tif 000004
【図４】
0006448485.tif 000005
【図５】
0006448485.tif 000006
【図６】
0006448485.tif 000007
【図７】
0006448485.tif 000008
【図８】
0006448485.tif 000009
【図９】
0006448485.tif 000010
【図１０】
0006448485.tif 000011
【図１１】
0006448485.tif 000012
【図１２】
0006448485.tif 000013
【図１３】
0006448485.tif 000014
【図１４】
0006448485.tif 000015
【図１５】
0006448485.tif 000016
【図１６】
0006448485.tif 000017
【図１７】
0006448485.tif 000018
【図１８】
0006448485.tif 000019
【図１９】
0006448485.tif 000020
【図２０】
0006448485.tif 000021
【図２１】
0006448485.tif 000022